(57)【要約】【課題】天然皮革、合成皮革、ファブリックに潜像模様が形成された画像形成体を得る。【解決手段】基材の表面に凹凸模様が形成された画像形成体１０であって、前記基材は、天然皮革、合成皮革、ファブリックのいずれかで形成され、前記凹凸模様は、平行に延びる複数の背景側凸部３１を有する背景領域１と、平行に延びる複数の潜像側凸部３２、３３、３４を有する潜像領域２、３、４を有し、前記潜像領域３２、３３、３４は、少なくとも一つの画像又は文字を構成し、前記潜像側凸部３２、３３、３４と前記背景側凸部３１とは、延びる方向及び凸部間のピッチの組み合わせが互いに異なっている。【選択図】図２
2018149758.tif 000002
【特許請求の範囲】
【請求項１】
基材の表面に凹凸模様が形成された画像形成体であって、
前記基材は、天然皮革、合成皮革、ファブリックのいずれかで形成され、
前記凹凸模様は、平行に延びる複数の背景側凸部を有する背景領域と、平行に延びる複数の潜像側凸部を有する潜像領域を有し、
前記潜像領域は、少なくとも一つの画像又は文字を構成し、
前記潜像側凸部と前記背景側凸部とは、延びる方向及び凸部間のピッチの組み合わせが互いに異なっていることを特徴とする画像形成体。
【請求項２】
前記潜像領域は、少なくとも前記潜像領域の輪郭部分に前記潜像側凸部を有している請求項１に記載の画像形成体。
【請求項３】
前記背景側凸部の端部と前記背景側凸部の端部が連設している請求項１又は２に記載の画像形成体。
【請求項４】
前記背景側凸部の表面粗さと前記背景側凸部の表面粗さとが異なっている請求項１〜３のいずれか一項に記載の画像形成体。
【請求項５】
前記潜像領域は、第１画像を形成するための第１潜像領域と、第２画像を形成するための第２潜像領域と、前記第１画像と前記第２画像が重なり合う領域である第３潜像領域を有し、
前記第１潜像領域は、平行に延びる複数の第１潜像側凸部を有し、
前記第２潜像領域は、平行に延びる複数の第２潜像側凸部を有し、
前記第３潜像領域は、平行に延びる複数の第３潜像側凸部を有し、
前記第１潜像側凸部、前記第２潜像側凸部、及び前記第３潜像側凸部は、延びる方向及び凸部間のピッチの組み合わせが互いに異なっている請求項１〜４のいずれか一項に記載の画像形成体。
【発明の詳細な説明】
【技術分野】
【０００１】
本発明は、潜像領域を有する画像形成体に関する。
【背景技術】
【０００２】
紙幣、株券、商品券等の貴重印刷物の偽造防止のため、基材としての紙媒体の表面に、エンボス模様を施すことが知られている。こうした貴重印刷物の偽造防止のために施されるエンボス模様は、基材表面に万線状の微細なエンボス模様を刻設することにより、見る角度によって画像が見え隠れする潜像や、見る角度によって画像がチェンジするチェンジング画像を有する画像形成体として構成されている。
【０００３】
特許文献１には、有価証券類等の偽造防止のための潜像を有する画像形成体及びその製造方法に係る発明が記載されている。
【先行技術文献】
【特許文献】
【０００４】
【特許文献１】特開２００５−２３８７０４号公報  特許文献１に記載される画像形成体は、紙面をエンボス加工することにより刻設された万線状凸部と、紙面上に印刷された万線状パターンとからなり、刻設された万線状凸部に対して、万線状パターンが重なり合うように印刷された領域と、万線状パターンが所定ピッチずれるように印刷された領域とが混在するようにしている。このため、万線状凸部が延びる方向と直交する方向の斜め上から紙面を観察すると、視認できる万線状パターンに濃度差が生じることになり、紙面を正面視した場合には視認し難かった画像（潜像）が顕像化することになる。引用文献１に記載される潜像を有する画像形成体は、エンボス加工された万線状凸部に対して、万線状パターンを印刷することを前提とするものであり、万線状凸部に対する万線状パターンのずれを知覚することに基づくものである。
【０００５】
一方、ソファ、座椅子等の家具、自動車、鉄道等のシートに用いられる各種シート外装材や、自動車、鉄道等の内装に用いられる各種内装材、或いはオーナメント部材の表皮材においても、表面にエンボス模様が刻設された画像形成体が知られている。これらシート外装材、内装材、表皮材へのエンボス模様の付与は、基材表面の装飾性を高めたり、基材表面の質感を高めたりすることを目的としている。こうしたシート外装材、内装材、表皮材は、一般に、天然皮革類、合成皮革類、ファブリック等を基材とする場合が多い。
【発明の概要】
【発明が解決しようとする課題】
【０００６】
しかし、こうした天然皮革類、合成皮革類、ファブリック等の基材に潜像を有する画像形成体を形成するべく、特許文献１に記載されるような万線状パターンを印刷しようとすると、基材との相性によってはクリアな万線状パターンを形成することが困難な場合がある。特許文献１に記載の発明は、有価証券類等の偽造防止を目的とするものであるため、紙媒体を基材とすることを前提としており、天然皮革類、合成皮革類、ファブリック等を基材とする場合については特に考慮されていなかった。
【０００７】
本発明は従来のこうした課題を解決するためになされたものであり、天然皮革、合成皮革、ファブリックのいずれかで形成された基材に、潜像やチェンジング画像が形成された画像形成体を提供することを目的としている。
【課題を解決するための手段】
【０００８】
上記の課題を解決するため、本発明は、基材の表面に凹凸模様が形成された画像形成体であって、前記基材は、天然皮革、合成皮革、ファブリックのいずれかで形成され、前記凹凸模様は、平行に延びる複数の背景側凸部を有する背景領域と、平行に延びる複数の潜像側凸部を有する潜像領域を有する。前記潜像領域は、少なくとも一つの画像又は文字を構成し、前記潜像側凸部と前記背景側凸部とは、延びる方向及び凸部間のピッチの組み合わせが互いに異なっている。
【０００９】
上記の発明によれば、画像形成体は、天然皮革、合成皮革、ファブリックのいずれかで形成された基材の表面に凹凸模様が形成されており、凹凸模様は、背景領域と、少なくとも一つの画像又は文字を構成している潜像領域を有している。そして、背景領域に形成された背景側凸部と潜像領域に形成された潜像側凸部とは、延びる方向が異なるか凸部間のピッチが異なるように形成されている。そのため、画像形成体を所定方向から見た場合、例えば、画像形成体を正面から見た場合、背景領域に形成された背景側凸部で反射された反射光と、潜像領域に形成された潜像側凸部で反射された反射光とが同程度に知覚され、背景領域と潜像領域との区別がつき難い。潜像領域の画像が見えない又は見難い状態となる。一方、画像形成体を前記所定方向とは異なる方向から見た場合、例えば、画像形成体の右斜め上方向から見た場合、背景領域に形成された背景側凸部で反射された反射光に比べて、潜像領域に形成された潜像側凸部で反射された反射光が強く知覚される。これにより、背景領域に対して潜像領域が顕像化する。
【００１０】
このため、天然皮革、合成皮革、ファブリックのいずれかで形成された基材に、潜像やチェンジング画像を形成することができる。
なお、本発明の画像形成体で言う画像は、図形や文字も含む概念とする。また、潜像領域で言う潜像は、チェンジング画像も含む概念とする。
【００１１】
上記の発明において、前記背景側凸部の端部と前記背景側凸部の端部が連設していることが好ましい。
上記の発明において、前記背景側凸部の表面粗さと前記背景側凸部の表面粗さとが異なっていることが好ましい。
【００１２】
上記の発明において、前記潜像領域は、第１画像を形成するための第１潜像領域と、第２画像を形成するための第２潜像領域と、前記第１画像と前記第２画像が重なり合う領域である第３潜像領域を有する。前記第１潜像領域は、平行に延びる複数の第１潜像側凸部を有し、前記第２潜像領域は、平行に延びる複数の第２潜像側凸部を有し、前記第３潜像領域は、平行に延びる複数の第３潜像側凸部を有する。前記第１潜像側凸部、前記第２潜像側凸部、及び前記第３潜像側凸部は、延びる方向及び凸部間のピッチの組み合わせが互いに異なっていることが好ましい。
【発明の効果】
【００１３】
本発明によれば、天然皮革、合成皮革、ファブリックのいずれかで形成された基材に、潜像やチェンジング画像が形成された画像形成体を得ることができる。
【図面の簡単な説明】
【００１４】
【図１】本実施形態の画像形成体について説明する概略模式図。
【図２】（ａ）は、本実施形態の画像形成体について説明する概略模式図。（ｂ）、（ｃ）は、潜像領域について説明する図。
【図３】本実施形態の画像形成体について説明する図。（ａ）〜（ｆ）は、各矢印方向から画像形成体を観察したときに見える状態を示す図。
【図４】画像形成体の凸部の部分拡大模式図。
【図５】変更例について説明する概略模式図。
【図６】変更例について説明する概略模式図。
【図７】変更例について説明する概略模式図。
【図８】変更例について説明する概略模式図。
【発明を実施するための形態】
【００１５】
以下、本発明の画像形成体の一実施形態について、図１〜図４に基づいて説明する。
図１に示すように、本実施形態の画像形成体１０は、基材２０の一方の面２０ａにエンボス加工を施すことにより、互いに平行に延びる微細な複数の凸部３０（以下、基材２０の一方の面２０ａに形成された微細な複数の凸部を総称して、万線状凸部という。）を有する凹凸模様が形成されてなるものである。本実施形態の画像形成体１０に形成された凹凸模様は、異なる構成の万線状凸部３０からなる７つの領域Ａ〜Ｇを有している。それぞれの領域Ａ〜Ｇでは、万線状凸部３０が延びる方向、或いは万線状凸部３０間のピッチが異なっている。こうすることで、画像形成体１０には、基材２０の一方の面２０ａを正面から観察した場合には認識できないが、所定方向から観察した場合には顕像化して認識可能となる潜像が形成されている。
【００１６】
本実施形態の画像形成体１０の万線状凸部３０の構成を、図２に基づいてより詳しく説明する。
図２（ａ）は、図１の領域Ａ〜Ｇが形成された領域を区画して示すとともに、領域Ａ〜Ｇに形成された万線状凸部３０の延びる方向、或いは万線状凸部３０間のピッチについて説明する図である。画像形成体１０には、背景領域１の中に、図２（ｂ）で示す「Ｔの文字」からなる第１潜像領域２と、図２（ｃ）で示す「山状の画像」からなる第２潜像領域３が形成されている。図２（ａ）では、第１潜像領域２と第２潜像領域３とが重なる領域を重複領域４として示している。
【００１７】
画像形成体１０は、横方向に延びる仮想上の線である基準線４０を基準として、基準線４０に平行に帯状となって延びる区画５０が複数形成されている。本実施形態では、区画５０の幅は１．５〜２．０ｍｍとされている。背景領域１は、基準線４０に直交する方向に対して−２０゜の角度で交差する方向に万線状凸部３０が延びる領域Ａと、基準線４０に直交する方向に対して＋７０゜の角度で交差する方向に万線状凸部３０が延びる領域Ｂとが、基準線４０に直交する方向において交互に並設されて構成されている。以下、万線状凸部３０の傾斜角度は、図２（ａ）において、基準線４０に直交する方向から右側に傾斜する場合を＋で表し、基準線４０に直交する方向から左側に傾斜する場合を−で表すものとする。
【００１８】
領域Ａに形成された万線状凸部３０間のピッチと、領域Ｂに形成された万線状凸部３０間のピッチは同じであり、それぞれ約１〜１００μｍとされている。ここでは、画像形成体１０に形成された万線状凸部３０のうち、背景領域１の領域Ａ、Ｂに形成された万線状凸部３０を背景側凸部３１と言う。
【００１９】
第１潜像領域２は、基準線４０に直交する方向に対して−７０゜の角度で交差する方向に万線状凸部３０が延びる領域Ｃと、基準線４０に直交する方向に対して＋２０゜の角度で交差する方向に万線状凸部３０が延びる領域Ｄとが交互に並設されている。第１潜像領域２の領域Ｃは、背景領域１の領域Ａと同じ区画５０に形成され、第１潜像領域２の領域Ｄは、背景領域１の領域Ｂと同じ区画５０に形成されている。領域Ｃに形成された万線状凸部３０間のピッチと、領域Ｄに形成された万線状凸部３０間のピッチは同じであり、それぞれ約１〜１００μｍとされている。ここでは、画像形成体１０に形成された万線状凸部３０のうち、第１潜像領域２の領域Ｃ、Ｄに形成された万線状凸部３０を第１潜像側凸部３２と言う。
【００２０】
第２潜像領域３では、基準線４０に直交する方向に対して−２０゜の角度で交差する方向に延びるとともに、領域Ａ〜Ｄ、Ｇに形成された万線状凸部３０に比べてピッチが約２倍とされた万線状凸部３０が形成された領域Ｅが、背景領域１の領域Ａと同じ区画５０に形成されている。一方、第２潜像領域３は、背景領域１の領域Ｂと同じ区画５０には形成されていない。ここでは、画像形成体１０に形成された万線状凸部３０のうち、第２潜像領域３の領域Ｅに形成された万線状凸部３０を第２潜像側凸部３３と言う。
【００２１】
第１潜像領域２と第２潜像領域３とが重なり合う重複領域４は、基準線４０に直交する方向に対して＋７０゜の角度で交差する方向に延びるとともに、領域Ａ〜Ｄ、Ｇに比べてピッチが約２倍とされた万線状凸部３０が形成された領域Ｆと、基準線４０に直交する方向に対して＋４５゜の角度で交差する方向に万線状凸部３０が延びる領域Ｇとが交互に並設されている。重複領域４の領域Ｆは、背景領域１の領域Ａと同じ区画５０に形成され、重複領域４の領域Ｇは、背景領域１の領域Ｂと同じ区画５０に形成されている。ここでは、画像形成体１０に形成された万線状凸部３０のうち、重複領域４の領域Ｆ、Ｇに形成された万線状凸部３０を第３潜像側凸部３４と言う。なお、第１潜像側凸部３２、第２潜像側凸部３３、第３潜像側凸部３４を総称して潜像側凸部と言うものとする。
【００２２】
各領域Ａ〜Ｇの境界部分では、隣り合う領域に形成された万線状凸部３０同士が連設されている。例えば、領域Ａと領域Ｂの境界部分では、基準線４０の位置において、領域Ａに形成された背景側凸部３１の端部と、領域Ｂに形成された背景側凸部３１の端部とが連設されている。同様に、領域Ｂと領域Ｃでも、基準線４０の位置において、領域Ｂに形成された背景側凸部３１の端部と領域Ｃに形成された第１潜像側凸部３２の端部とが連設されている。また、帯状に延びる同じ区画５０において隣り合う領域、例えば、領域Ａと領域Ｃの境界部分でも同様に、領域Ａに形成された背景側凸部３１の端部と、領域Ｃに形成された第１潜像側凸部３２の端部とが連設されている。これは、隣り合う他の領域でも同様である。
【００２３】
図４に示すように、画像形成体１０に形成された凹凸模様の底面３０ａは、同じ深さ位置とされている。また、背景側凸部３１、潜像側凸部３２、３３、３４の高さは、すべて同じ高さ位置となるように形成されている。つまり、背景領域１、第１潜像領域２、第２潜像領域３、重複領域４を構成する凹凸模様における万線状凸部３０の底面３０ａの深さ位置は同じであり、背景側凸部３１、第１潜像側凸部３２、第２潜像側凸部３３、第３潜像側凸部３４の頂部３０ｂの高さ位置はすべて同じとされている。背景側凸部３１、第１潜像側凸部３２、第２潜像側凸部３３、第３潜像側凸部３４の頂部３０ｂの高さｈは、５〜５０μｍであることが好ましい。各万線状凸部３０の頂部３０ｂの高さｈをこの範囲とすることにより、認識される画像又は文字の切り替えが明確となり、画像形成体１０の加飾性が向上する。なお、各万線状凸部３０の高さｈは、基材２０の材質、厚み、硬さ等によって適宜調整されていることが好ましい。
【００２４】
また、各万線状凸部３０の傾斜角度（図４にθで示す。）は、７０゜以下とされていることが好ましい。各万線状凸部３０の傾斜角度θがこの範囲であると、規則性のある凹凸模様として認識することができて、画像形成体１０の加飾性が向上する。
【００２５】
本実施形態の基材２０は、牛革、羊革、豚革、山羊革等の天然皮革、ポリカーボネート樹脂、アクリル樹脂、アクリロニトリルーブタジエンースチレン樹脂、ポリプロピレン樹脂、ポリエチレン樹脂等の合成樹脂を塗布してなる合成皮革、或いは織物、編物、不織布等ファブリックを適宜選択して用いることができる。基材２０上にラメ状の表面光沢層が設けられたもの等、加飾層が設けられたものであってもよい。
【００２６】
本実施形態の画像形成体１０をシート外装材や、各種内装材、表皮材等に適用する場合、シート外装材等を基材２０単層で構成してもよく、シート外装材等を複数層として、その表面側に基材２０を配置して構成してもよい。
【００２７】
また、基材２０は、後に説明するエンボス加工において、エンボス版からの転写性を高めるために、適度な柔軟性を有することが好ましい。柔軟性は、ＪＩＳ  Ｋ７２１５に準じて測定することができる。例えば、基材２０の厚さが５ｍｍ未満であり、硬度が５０度以下であることが好ましい。基材２０の硬度がこの範囲であると、エンボス版からの転写性が良好となり、エンボス版に刻設された凹凸模様の基材２０上での再現性が向上する。これにより、画像形成体１０の加飾性が向上する。
【００２８】
画像形成体１０は、公知のエンボス加工により製造することができる。画像形成体１０に形成された凹凸模様に対応するエンボス模様が刻設されたエンボス版を、基材２０の一方の面２０ａ側に配置するとともに、他方の面側に受け部材を配置して、エンボス版と受け部材との間で基材２０を挟んで押圧する。この場合、エンボス版及び受け部材を加熱しておく。エンボス版の材質は特に限定されないが、加工性に優れていることから銅製であることが好ましい。また、エンボス版の表面に３価クロム層を設ける処理が施されていると、耐摩耗性が向上して画像形成体１０の量産性に優れている。加熱押圧時の圧力、押圧時間、加熱温度等は、基材２０の材質、厚み、硬さ等によって適宜調整することができる。
【００２９】
次に、本実施形態の画像形成体１０の作用について説明する。
図３は、画像形成体１０を異なる角度から観察した場合に見える状態を示したものである。図３（ａ）に示すように、画像形成体１０を正面視すると、背景領域１、第１潜像領域２、第２潜像領域３、及び重複領域４の区別がつき難く、全体が、基準線４０に沿う方向に延びる細かな横縞模様として認識される。図４に示すように、画像形成体１０を観察する場合、画像形成体１０に形成された複数の万線状凸部３０の表面で光が反射するため、その反射した光を知覚することにより画像形成体１０に形成された画像を認識することができる。本実施形態の画像形成体１０を正面視した場合には、背景領域１の領域Ａ、Ｂに形成された背景側凸部３１、第１潜像領域２の領域Ｃ、Ｄに形成された第１潜像側凸部３２、第２潜像領域３の領域Ｅに形成された第２潜像側凸部３３、及び重複領域４の領域Ｆ、Ｇに形成された第３潜像側凸部３４で反射した光が、いずれも同じ程度の強さで知覚されるため、「Ｔの文字」、「山状の画像」が背景領域１と区別がつかず、見えないか見難い状態となる。
【００３０】
これに対して、図３（ｂ）、（ｅ）に示すように、画像形成体１０を右上の斜め上方向、或いは左下の斜め上方向から観察すると、「Ｔの文字」が顕像化される。これは、第１潜像領域２の領域Ｃ、Ｄに形成された第１潜像側凸部３２、及び重複領域４の領域Ｆ、Ｇに形成された第３潜像側凸部３４で反射した光が、背景領域１の領域Ａ、Ｂに形成された背景側凸部３１、及び第２潜像領域３の領域Ｅに形成された第２潜像側凸部３３で反射した光に比べて強く認識されることによる。これにより、「山状の画像」は背景領域１の中に潜像化されて見えないか見難い状態となっているが、「Ｔの文字」は顕像化して見える状態となっている。
【００３１】
図３（ｃ）、（ｆ）に示すように、画像形成体１０を右下の斜め上方向、或いは左上の斜め上方向から観察すると、「山状の画像」が顕像化される。これは、第２潜像領域３の領域Ｅに形成された第２潜像側凸部３３、及び重複領域４の領域Ｆ、Ｇに形成された第３潜像側凸部３４で反射した光が、背景領域１の領域Ａ、Ｂに形成された背景側凸部３１、及び第１潜像領域２の領域Ｃ、Ｄに形成された第１潜像側凸部３２で反射した光に比べて強く認識されることによる。これにより、「Ｔの文字」は背景領域１の中に潜像化されて見えないか見難い状態となっているが、「山状の画像」は顕像化して見える状態となっている。
【００３２】
図３（ｄ）に示すように、画像形成体１０を下の斜め上方向から観察すると、「Ｔの文字」と「山状の画像」とが顕像化される。これは、第１潜像領域２の領域Ｃ、Ｄに形成された第１潜像側凸部３２、第２潜像領域３の領域Ｅに形成された第２潜像側凸部３３、及び重複領域４の領域Ｆ、Ｇに形成された第３潜像側凸部３４で反射した光が、背景領域１の領域Ａ、Ｂに形成された背景側凸部３１で反射した光に比べて強く認識されることによる。
【００３３】
このように、本実施形態の画像形成体１０は、背景領域１の領域Ａ、Ｂに形成された背景側凸部３１、第１潜像領域２の領域Ｃ、Ｄに形成された第１潜像側凸部３２、第２潜像領域３の領域Ｅに形成された第２潜像側凸部３３、及び重複領域４の領域Ｆ、Ｇに形成された第３潜像側凸部３４を、基準線４０に対して異なる角度で形成するか、万線状凸部３０間のピッチを異なるように形成することにより、見る角度によって見えなかった又は見難かった「Ｔの文字」や「山状の画像」が顕像化される。このとき、第１潜像領域２、第２潜像領域３は、いわゆる潜像を構成し、見る角度によって「Ｔの文字」と一体化したり「山状の画像」と一体化したりする重複領域４は、いわゆるチェンジング画像を構成している。
【００３４】
上記実施形態によれば、以下の効果を奏することができる。
（１）本実施形態の画像形成体１０は、天然皮革、合成皮革、ファブリックのいずれかで形成された基材２０の一方の面２０ａに、異なる構成の万線状凸部３０からなる７つの領域Ａ〜Ｇを有している。それぞれの領域Ａ〜Ｇでは、万線状凸部３０が延びる方向、或いは万線状凸部３０間のピッチが異なっている。このため、見る角度によって、「Ｔの文字」のみが見えたり、「山状の画像」のみが見えたり、「Ｔの文字」と「山状の画像」の両方が見えたり、いずれも見えなかったりする。万線状凸部３０が延びる方向、或いは万線状凸部３０間のピッチを異ならせることで、基材２０上に万線状パターンを印刷しなくても、天然皮革、合成皮革、ファブリックのいずれかで形成された基材２０に潜像を形成することができる。
【００３５】
（２）万線状凸部３０が延びる方向、或いは万線状凸部３０間のピッチが異なる領域を必要に応じて適宜設けることで、複数の異なる画像又は文字を潜像として形成することができる。
【００３６】
（３）二つの画像又は文字が重なる場合、重なる領域である重複領域４では、一方の画像又は文字の第１潜像領域２を形成する第１潜像側凸部３２と、他方の画像又は文字の第２潜像領域３を形成する第２潜像側凸部３３との双方とは、異なる方向或いは異なるピッチで第３潜像側凸部３４を形成している。このため、第１潜像領域２のみが顕像化される場合と、第２潜像領域３のみが顕像化される場合と、第１潜像領域２及び第２潜像領域３が顕像化される場合を明確にすることができる。
【００３７】
（４）各領域Ａ〜Ｇに形成された万線状凸部３０は、隣り合う領域では端部同士が連設している。このため、認識される画像又は文字の切り替えが明確となり、画像形成体１０の加飾性が向上する。
【００３８】
（５）各領域Ａ〜Ｇに形成された万線状凸部３０の高さは、５〜５０μｍとされている。このため、認識される画像又は文字の切り替えが明確となり、画像形成体１０の加飾性が向上する。
【００３９】
（６）各領域Ａ〜Ｇに形成された万線状凸部３０の傾斜角度は７０゜以下とされている。このため、認識される画像又は文字の切り替えが明確となり、画像形成体１０の加飾性が向上する。
【００４０】
上記実施形態は以下のように変更してもよく、また、以下の変更例を組み合わせて適用してもよい。
・  上記実施形態では、背景領域１を、横方向に延びる仮想上の線である基準線４０に平行な帯状となって延びる区画に、領域Ａと領域Ｂを並列して形成した。しかし、背景領域１を構成する領域は二つに限定されず、三つ以上であってもよい。例えば、背景領域１として、基準線４０に平行な帯状の区画５０の一つを領域Ａとし、領域Ａに隣接する区画５０を領域Ｂとし、領域Ｂに隣接する区画５０を領域Ｈとして、これら領域Ａ、Ｂ、Ｈが順に並列して形成されることにより背景領域１を構成することができる。
【００４１】
・  背景領域１は、一つの領域のみで構成されていてもよい。図５に示すように、背景領域１を、横方向に延びる仮想線である基準線４０（図５では二点鎖線で示す。）に直交する方向に対して−２０゜の角度で交差する方向に万線状凸部３０（背景側凸部３１）が延びる領域Ａで構成し、潜像領域２である「Ｔの文字」を基準線４０に直交する方向に対して＋７０゜の角度で交差する方向に万線状凸部３０（第１背景側凸部３２）が延びる領域Ｂで構成してもよい。
【００４２】
・  上記実施形態では、第２潜像領域３は、背景領域１の領域Ａと同じ区画５０に領域Ｅを形成し、背景領域１の領域Ｂと同じ区画５０には形成しない構成とした。しかし、図６に示すように、第２潜像領域３を、背景領域１の領域Ｂと同じ区画５０に形成してもよい。例えば、背景領域１の領域Ｂと同じ区画５０に、基準線４０に直交する方向に対して−４５゜の角度で交差する方向に延びる万線状凸部３０（第２潜像側凸部３３）が形成された領域Ｈを形成する。このように、第２潜像領域３を、背景領域１の領域Ａ、Ｂの双方の区画５０に設けることで、「山状の画像」をより際立たせることができる。
【００４３】
・  上記実施形態では、第１潜像領域２は、背景領域１の領域Ａと同じ区画５０に領域Ｃを形成し、背景領域１の領域Ｂと同じ区画５０に領域Ｂを形成する構成とした。しかし、これに限定されず、背景領域１の領域Ａと同じ区画５０に領域Ｃを形成するのみで、背景領域１の領域Ｂを同じ区画５０には形成しない構成としてもよい。同様に、領域Ｃを形成せず、領域Ｄのみを形成する構成としてもよい。
【００４４】
・  上記実施形態では、第１潜像側凸部３２、第２潜像側凸部３３、第３潜像側凸部３４について、背景側凸部３１と交差する方向に延びるように形成されているものである場合と、前記背景側凸部３１と異なるピッチで形成されているものである場合のいずれかとして、反射された光の知覚の度合いを変えて顕像化するようにした。この構成に加えて、背景側凸部３１、第１潜像側凸部３２、第２潜像側凸部３３、第３潜像側凸部３４のそれぞれについて、表面粗さに変化をつけるようにしてもよい。この場合、エンボス版に形成された凹部の表面にマット処理を施したり、グロス処理を施したりすることで、画像形成体１０に形成された各万線状凸部３０の表面粗さを変えることができる。これにより、画像又は文字の見え方に変化を持たせ、また、画像又は文字の境界部分を明確化させることができるため、画像形成体１０の加飾性が向上する。
【００４５】
・  上記実施形態の画像形成体１０に形成された領域Ａ〜Ｈにおける万線状凸部３０の延びる方向、万線状凸部３０間のピッチは、これに限定されない。潜像側凸部３２、３３、３４が、背景側凸部３１と交差する方向に延びるように形成されているものであるか、背景側凸部３１と異なるピッチで形成されているものであれば、各領域Ａ〜Ｈでの万線状凸部３０の延びる方向、万線状凸部３０間のピッチは適宜設定することができる。
【００４６】
・  上記実施形態では、「Ｔの文字」と「山状の画像」がそれぞれ異なる角度から見た場合に顕像化されるようにしたが、同じ角度から見た場合に、複数の画像又は文字が顕像化されるようにしてもよい。この場合、同時に顕像化される画像又は文字は、基準線４０に対して同じ角度で交差する方向に延び、同じピッチで形成された潜像側凸部３２、３３、３４で構成すればよい。
【００４７】
・  上記実施形態では、「Ｔの文字」と「山状の画像」からなる潜像領域で説明したが、潜像領域を構成する画像又は文字は適宜選択することができる。複数の文字で潜像領域を形成してもよく、複数の画像で潜像領域を形成してもよい。
【００４８】
・  上記実施形態では、「Ｔの文字」の全体を領域Ｃ、Ｄ、Ｆ、Ｇで構成し、「山状の画像」の全体を領域Ｅ、Ｆ、Ｇで構成したが、これに限定されない。図７に示すように、例えば、「Ｔの文字」の輪郭部分のみ、つまり、潜像領域２の輪郭部分のみを背景領域１の背景側凸部３１と交差するかピッチが異なる潜像側凸部３２で構成して、「Ｔの文字」の内部は、背景領域１の背景側凸部３１と同じ構成としてもよい。
【００４９】
・  上記実施形態では、各領域Ａ〜Ｈは、それぞれ一種類の万線状凸部３０で構成したが、一つの領域に複数の方向に延びる万線状凸部３０を形成してもよい。例えば、図８に模式的に示すように、「Ｔの文字」と「Ｆの文字」が一部重複して重複領域４が形成されている場合、重複領域４を構成する領域Ｋ、Ｌの万線状凸部３０（第３潜像側凸部３４）を、異なる方向に延びる二〜四種類の万線状凸部３０が連設した状態のものとして形成してもよい。なお、図８では、二種類の万線状凸部３０の場合について示している。この場合、重複領域４の領域Ｋの第３潜像側凸部３４を、「Ｔの文字」の一部である第１潜像領域２の領域Ｉの第１潜像側凸部３２と、「Ｆの文字」の一部である第２潜像領域３の領域Ｅの第２潜像側凸部３３とを連設した状態のものとする。また、重複領域４の領域Ｌの第３潜像側凸部３４を、「Ｔの文字」の一部である第１潜像領域２の領域Ｄの第１潜像側凸部３２と、「Ｆの文字」の一部である第２潜像領域３の領域Ｇの第２潜像側凸部３３とを連設した状態のものとする。こうすることで、重複領域４では、画像形成体１０を見る方向によって「Ｔの文字」と「Ｆの文字」とがチェンジするとともに、それぞれの文字がより明瞭となる。
【符号の説明】
【００５０】
１…背景領域、２…第１潜像領域、３…第２潜像領域、４…重複領域、１０…画像形成体、２０…基材、３０…万線状凸部、３１…背景側凸部、３２…第１潜像側凸部（潜像側凸部）、３３…第２潜像側凸部（潜像側凸部）、３４…第３潜像側凸部（潜像側凸部）、４０…基準線。
【図１】
2018149758.tif 000003
【図２】
2018149758.tif 000004
【図３】
2018149758.tif 000005
【図４】
2018149758.tif 000006
【図５】
2018149758.tif 000007
【図６】
2018149758.tif 000008
【図７】
2018149758.tif 000009
【図８】
2018149758.tif 000010